(57)【要約】【課題】レンジの排気装置に調理器用の排気装置を組み合わせた調理器用フードの排気ダクト装置を提供する。【解決手段】この排気ダクト装置１は、室内３０に固定されたレンジフード１１で集めた排気を外部に導く排気ダクト１０と、室内３０に仮設されたダイニングフード２１で集めた排気を排気ダクト１０に導く排気ダクト２０とを備え、両フード１１，２１を択一的に使用可能とした。これにより、両排気ダクト１０，２０を一系統にまとめて導設できるようになる。また、既設の排気ダクト１０があれば、それに排気ダクト２０を後付できて便利である。【選択図】図２
2016125794.tif 000002
【特許請求の範囲】
【請求項１】
室内に固定された第一調理用フードで集めた排気を外部に導く第一排気ダクトと、
前記室内に仮設された第二調理用フードで集めた排気を前記第一排気ダクトに導く第二排気ダクトと
を備えたことを特徴とする調理用フードの排気ダクト装置。
【請求項２】
前記両排気ダクトは、それぞれ排気ファンとダンパとを介装させており、
一方の排気ファンの起動動作に応じて、該排気ファンに対応するダンパを開くとともに、他方の排気ファンの起動動作を禁止して、該排気ファンに対応するダンパを閉じることを特徴とする請求項１記載の料理用フードの排気ダクト装置。
【請求項３】
前記第二調理用フードは、前記第二排気ダクトに取り外し可能に取り付けられることを特徴とする請求項１記載の調理用フードの排気ダクト装置。
【請求項４】
前記第二排気ダクトは、前記室内の天井裏に配置されていることを特徴とする請求項１〜３のいずれか１項に記載の調理用フードの排気ダクト装置。
【請求項５】
前記第二排気ダクトは、前記室内の天井裏で、複数系統に分岐させて導くことを特徴とする請求項４記載の調理用フードの排気ダクト装置。
【発明の詳細な説明】
【技術分野】
【０００１】
本発明は、一般家庭内に設置可能な調理用フードの排気ダクト装置に関するものである。
【背景技術】
【０００２】
一般家庭のキッチンには、通常、ガスレンジ、ＩＨ（Ｉｎｄｕｃｔｉｏｎ  Ｈｅａｔｉｎｇ）等のレンジで発生する熱気や煙等を排気するためのレンジファン（換気扇）を内蔵したレンジフードが取り付けられている。このレンジフードと外壁の排気孔に嵌め込まれた排気ダクトを接続するレンジの排気装置が知られている（例えば特許文献１参照。）。
【０００３】
一方、焼肉店においては、焼肉用テーブルに備えた調理器で発生する熱気や煙等を処理するために、焼肉用テーブルの上方に設置したフードでその煙等を集めて室外へと強制排気していた（例えば特許文献２参照）。
【発明の概要】
【発明が解決しようとする課題】
【０００４】
ところで、一般家庭においても、レンジから離れたテーブル上に仮置した調理器で焼肉調理を行いたいときがある。その場合、仮置きした調理器からの熱気や煙等が室内に広がり、室内の空調負荷が大きくなるなどの問題があった。しかしながら、特に集合住宅の室壁の貫通部は、既存のレンジの排気ダクト径に合わせて形成されており、このレンジの排気装置とは別個に、仮置きした調理器用の排気装置を設けることは困難であった。
【０００５】
本発明は、上記事情に鑑みたものであり、その目的とするところは、レンジの排気装置に調理器用の排気装置を組み合わせた調理器用フードの排気ダクト装置を提供することである。
【課題を解決するための手段】
【０００６】
本発明には、室内に固定された第一調理用フードで集めた排気を外部に導く第一排気ダクトと、前記室内に仮設された第二調理用フードで集めた排気を前記第一排気ダクトに導く第二排気ダクトとを備えたことを特徴とする調理用フードの排気ダクト装置に係るものである。
【０００７】
本発明によれば、室内に固定された第一調理用フードで集めた排気を外部に導く第一排気ダクトと、前記室内に仮設された第二調理用フードで集めた排気を前記第一排気ダクトに導く第二排気ダクトとを備えたので、両排気ダクトを一系統にまとめることができるようになる。また、既設の第一排気ダクトがあれば、それに第二排気ダクトを後付できて便利である。
【０００８】
請求項２記載の発明のように、前記両排気ダクトは、それぞれ排気ファンとダンパとを介装させており、一方の排気ファンの起動動作に応じて、該排気ファンに対応するダンパを開くとともに、他方の排気ファンの起動動作を禁止して、該排気ファンに対応するダンパを閉じることが好ましい。
【０００９】
請求項２記載の発明によれば、前記両排気ダクトは、それぞれ排気ファンとダンパとを介装させており、一方の排気ファンの起動動作に応じて、該排気ファンに対応するダンパを開くとともに、他方の排気ファンの起動動作を禁止して、該排気ファンに対応するダンパを閉じるので、調理用フードを択一的に使用可能となる。
【００１０】
請求項３記載の発明のように、第二調理用フードは、前記第二排気ダクトに取り外し可能に取り付けられることが好ましい。
【００１１】
請求項３記載の発明によれば、第二調理用フードは、前記第二排気ダクトに取り外し可能に取り付けられるので、第二調理用フードを使用しないときには、それを第二排気ダクトから取り外しておくと、室内スペースを有効利用できる。
【００１２】
請求項４記載の発明のように、前記第二排気ダクトは、前記室内の天井裏に配置されていることが好ましい。
【００１３】
請求項４記載の発明によれば、前記第二排気ダクトは、前記室内の天井裏に配置されているので、高温となった排気ダクトによる火傷等を防止して、美観確保も容易となる。
【００１４】
ところで、室内の天井裏の高さがとりにくい場合などがある。そこで、請求項５記載の発明のように、前記第二排気ダクトは、前記室内の天井裏で、複数系統に分岐させて導くことが好ましい。
【００１５】
請求項５記載の発明によれば、前記第二排気ダクトは、前記室内の天井裏で、複数系統に分岐させて導くので、天井裏の高さがとりにくい場合などにも対応可能となる。
【発明の効果】
【００１６】
本発明によれば、室内に固定された第一調理用フードで集めた排気を外部に導く第一排気ダクトと、前記室内に仮設された第二調理用フードで集めた排気を前記第一排気ダクトに導く第二排気ダクトとを備えたので、両排気ダクトを一系統にまとめて導設できるようになる。また、既設の第一排気ダクトがあれば、それに第二排気ダクトを後付できて便利である。
【図面の簡単な説明】
【００１７】
【図１】本発明の実施形態１に係る排気ダクト装置の全体構成を示す平面図である。
【図２】図１のＡ−Ａ線断面図である。
【図３】図１のＢ−Ｂ線断面図である。
【図４】図１の部分構成を示す側面図であって、（ａ）はダイニングフードの不使用時のＡ−Ａ線断面図であり、（ｂ）はその天井取り付け部まわりを示す説明図である。
【図５】実施形態１に係る制御系を示す機能ブロック図である。
【図６】実施形態１に係る制御動作を示すフローチャートである。
【図７】本発明の実施形態２に係る排気ダクト装置の全体構成を示す平面図である。
【図８】図７のＡ−Ａ線断面図である。
【図９】図７のＢ−Ｂ線断面図である。
【図１０】図７の部分構成を示す側面図であって、（ａ）はダイニングフードの不使用時のＡ−Ａ線断面図であり、（ｂ）はその天井取と付け部まわりを示す説明図である。
【発明を実施するための形態】
【００１８】
（実施形態１）
図１は本発明の実施形態１に係る排気ダクト装置の全体構成を示す平面図、図２は図１のＡ―Ａ線断面図、図３は図１のＢ−Ｂ線断面図、図４は図１の部分構成を示す側面図であって、（ａ）はダイニングフードの不使用時のＡ−Ａ線断面図であり、（ｂ）はその天井取り付け部まわりを示す説明図である。
【００１９】
図１〜図４に示すように、本実施形態１に係る排気ダクト装置（調理用フードの排気ダクト装置に相当する。）１は、室内３０の隅部に固定配置されたレンジフード（第一調理用フードに相当する。）１１の排気ダクト（第一排気ダクトに相当する。）１０に、室内３０の中央付近に着脱自在に配置されたダイニングフード（本出願人の登録商標、第二調理用フードに相当する。）２１の排気ダクト（第二排気ダクトに相当する。）２０を接続してなっている。
【００２０】
レンジフード１１の排気ダクト１０は、レンジ４０の上方に固定されたレンジフード１１と、レンジフード１１内に組み込まれたレンジファン１２と、煙逆流防止用のレンジファン側電動ダンパ１３を備えた室内のダクト本体１４と、ティーズ（Ｔ継手）１５と、室壁を貫通して外部に通じる排気ダクト１６とを備えている。
【００２１】
ここで、レンジフード１１は、レンジファン１２でレンジ４０からの排気を集めて、ダクト本体１４内に導くものである。ダクト本体１４に導かれた排気はレンジファン側電動ダンパ１３を介してティーズ１５の下側に入り、このティーズ１５の一端側（室壁貫通側）から排気ダクト１６に排出されるようになっている。ダクト間の継手は適宜シールされている。各要素の諸寸法は、その通過が予想される排気量に応じて設定されており、各要素の材質は、耐食性等を考慮して、概ねステンレス鋼製としている（以下、同様である）。
【００２２】
ダイニングフード２１の排気ダクト２０は、ダクト本体２２と、防火ダンパ２３と、フィルターボックス２４と、天井３１への取り付け部２５と、中空箱状のダイニングユニット２６と、排気ダクト２７と、排気ファン２８と、煙逆流防止用の排気ファン側電動ダンパ２９とを備えている。
【００２３】
ここで、ダイニングフード２１は、図示しないテーブル上に仮置きされる、例えば焼肉調理用の調理器（これも図示せず。）からの排気を集めて、ダクト本体２２内に導くものである。ダクト本体２２に導かれた排気は、ダイニングユニット２６から天井３１裏を横向きに走る排気ダクト２７を通じて、排気ファン２８でティーズ１５の他端側（室壁貫通側と反対側）に排出されるようになっている。このように、排気ダクト２７は、天井３１裏に配置されているので、高温となった排気ダクトによる火傷等を防止して、美観確保も容易となる。
【００２４】
ダイニングフード２１は、例えば図２に示すように、フード本体２１１の全体が略円錐台形状となるように成形したものであって、フード本体２１１内には、油分除去フィルタ２１２を把持する把持脚２１３が適所に垂下されている。防火ダンパ２３は、万一の出火時に自動的に閉じて延焼を防止するためのものであって、通常はダンパ本体が全開状態で使用される。油分除去フィルタ２１２は、例えば円筒状の網材からなり、その上部の周縁部分が前記把持脚２１３により抱持されている。なお、フード本体２１１は、ダクト本体２２に組み込まれた伸縮機構（図示せず。）により手動で昇降自在となっている。
【００２５】
そして、フード本体２１１の下方の開口から吸い込んだ煙等に含まれている油分や灰の大半を除去した後、ダクト本体２２に排出させ、除去油分等をフィルタ下部に取着されたオイル溜め部に落下、回収させるようになっている。また、フィルターボックス２４内には、例えば平板状の網材からなる油分除去フィルタ２４１を斜め配置で内蔵しており、この油分除去フィルタ２４１でもって、ダクト本体２２の下方の開口から吸い込んだ煙等に含まれている油分や灰をさらに除去するようになっている。
【００２６】
排気ダクト２７は、ダイニングフード２１を着脱自在に取り付けるようになっている。すなわち、ダイニングフード２１の天井取り付け部２５として、排気ダクト２７の下部には、天井３１を貫通する貫通リング２５１と、脱着ソケット２５２とを備えており、この脱着ソケット２５２には逆Ｌ字状の切れ目２５３が形成されている。ダイニングフード２１の天井取り付け部２５に対峙する部位には、後述するエンドキャップ５０と同様であるが、いずれも図示しない水平ピンと水平ネジとを備えている。
【００２７】
そして、ダイニングフード２１を持ち上げることで脱着ソケット２５２にはめ込み、さらに回転することで前記水平ピンが切れ目２５３に沿って所定位置に案内される。その所定位置で前記水平ネジを締め付けることで、ダイニングフード２１が排気ダクト２７に固定されるようになっている。ダイニングフード２１を排気ダクト２７から取り外すときはこの逆順となる。このように、ダイニングフード２１は、排気ダクト２７に取り外し可能に取り付けられるので、ダイニングフード２１を使用しないときには、それを排気ダクト２７から取り外しておくと、室内３０のスペースを有効利用できる。
【００２８】
エンドキャップ５０は、ダイニングフード２１の未使用時に装着される化粧カバーであって、上方が開放された円筒状をなしている。エンドキャップ５０には水平ピン５０１が三方に突出されており、これをＰ方向に持ち上げて脱着ソケット２５２の逆Ｌ字状の切れ目２５３にはめ込み、さらにＲ方向に回転することで水平ピン５０１が切れ目２５３に沿って所定位置に案内される。その所定位置で水平ネジ５０２を締め付けることで、エンドキャップ５０が排気ダクト２７に固定されるようになっている。エンドキャップ５０を排気ダクト２７から取り外すときはこの逆順となる。
【００２９】
図５は実施形態１に係る排気ダクト装置の制御系を示す機能ブロック図、図６はその制御動作を示すフローチャートである。以下、本制御系について説明する。
【００３０】
本制御系は、図５に示すように、コントローラ６０を中心としてなっており、これにレンジファン用ＯＮ／ＯＦＦスイッチ（以下、レンジファンスイッチという。）６１と、排気ファン用ＯＮ／ＯＦＦスイッチ（以下、排気ファンスイッチという。）６２と、レンジファン用モータ６３と、レンジファン側電動ダンパ用モータ６４と、排気ファン用モータ６５と、排気ファン側電動ダンパ用モータ６６とが電気的に接続されている。コントローラ６０は、使用者によるレンジファンスイッチ６１及び排気ファンスイッチ６２のＯＮ／ＯＦＦ操作により各種判断を行い、その判断に基づいて、レンジファン用モータ６３、レンジファン側電動ダンパ用モータ６４、排気ファン用モータ６５及び排気ファン側電動ダンパ用モータ６６への各動作指令を発するものである。なお、電源を投入する前の初期状態としては、レンジファン１２と排気ファン２８とは停止しており、レンジファン側電動ダンパ１３と排気ファン側電動ダンパ２９とは閉じているものとする。
【００３１】
そして、電源を投入すると、図６に示すように、コントローラ６０でレンジファンスイッチ６１のＯＮ／ＯＦＦが判断される（ステップＳ１）。ここで、使用者がレンジファンスイッチ６１をＯＮすると、コントローラ６０から発せられる動作指令により、レンジファン側電動ダンパ用モータ６４が起動され、レンジファン側電動ダンパ１３が開状態となる（ステップＳ２）。しかる後に、レンジファン用モータ６３が起動され、レンジファン１２が回転し始めてから（ステップＳ３）、ステップＳ１に戻る。
【００３２】
ステップＳ１で、使用者がレンジファンスイッチ６１をＯＦＦすると、コントローラ６０から発せられる動作指令により、レンジファン用モータ６３が停止され、レンジファン１２が停止する（ステップＳ４）。しかる後、レンジファン側電動ダンパ用モータ６４が停止され、レンジファン側電動ダンパ１３が閉状態となる（ステップＳ５）。
【００３３】
ついで、コントローラ６０で排気ファンスイッチ６２のＯＮ／ＯＦＦが判断される（ステップＳ６）。ここで、使用者が排気ファンスイッチ６２をＯＮすると、コントローラ６０から発せられる動作指令により、排気ファン側電動ダンパ用モータ６６が起動され、排気ファン側電動ダンパ２９が開状態となる（ステップＳ７）。しかる後に、排気ファン用モータ６５が起動され、排気ファン２８が回転し始めてから（ステップＳ８）、ステップＳ６に戻る。
【００３４】
ステップＳ６で、使用者が排気ファンスイッチ６２をＯＦＦすると、コントローラ６０から発せられる動作指令により、排気ファン用モータ６５が停止され、排気ファン２８が停止する（ステップＳ９）。しかる後、排気ファン側電動ダンパ用モータ６６が停止され、排気ファン側電動ダンパ２９が閉状態となる（ステップＳ１０）。再びステップＳ１に戻る。
【００３５】
そして、電源を切るまで、各ステップＳ１〜Ｓ１０を繰り返すことにより、レンジファン１２を起動すると、レンジファン側電動ダンパ１３を開くとともに、排気ファン２８の起動を禁止して、排気ファン側電動ダンパ２９を閉じる。一方、レンジファン１２を停止すると、レンジファン側電動ダンパ１３を閉じるとともに、排気ファン２８の起動を許容して、排気ファン側電動ダンパ２９を開くことを許容する。これにより、レンジフード１１とダイニングフード２１とが択一的に使用可能となる。
【００３６】
以上説明したように、本実施形態１の排気ダクト装置１によれば、室内３０に固定されたレンジフード１１で集めた排気を外部に導く排気ダクト１０と、室内３０に仮設されたダイニングフード２１で集めた排気を排気ダクト１０に導く排気ダクト２０とを備えたので、両排気ダクト１０，２０を、一系統にまとめて導設できるようになる。また、既設の排気ダクト１０があれば、それに排気ダクト２０を後付できて便利である。
【００３７】
（実施形態２）
ところで、室内３０の天井３１裏の高さがとりにくい場合などがある。そこで、排気ダクト２０は、前記室内３０の天井３１裏で、二系統に分岐させて横並びで導くことが好ましい。実施形態２は、かかる点に着目してなされたものである。以下、説明するが、上記実施形態１と共通する要素には同一番号を付して、その重複説明をできるだけ省略する。
【００３８】
図７は本発明の実施形態２に係る排気ダクト装置１ａの全体構成を示す平面図、図８は図７のＡ―Ａ線断面図、図９は図７のＢ−Ｂ線断面図、図１０は図７の部分構成を示す側面図であって、（ａ）はダイニングフードの不使用時のＡ−Ａ線断面図であり、（ｂ）はその天井取り付け部まわりを示す説明図である。
【００３９】
図７〜図１０に示すように、本実施形態２に係る排気ダクト装置（調理用フードの排気ダクト装置に相当する。）１ａは、室内３０の隅部に固定配置されたレンジフード（第一調理用フードに相当する。）１１の排気ダクト（第一排気ダクトに相当する。）１０に、室内３０の中央付近に着脱自在に配置されたダイニングフード（第二調理用フードに相当する。）２１の排気ダクト（第二排気ダクトに相当する。）２０ａを接続してなっている。
【００４０】
レンジフード１１の排気ダクト１０は、レンジ４０の上方に固定されたレンジフード１１と、レンジフード１１内に組み込まれたレンジファン１２と、煙逆流防止用のレンジファン側電動ダンパ１３を備えた室内のダクト本体１４と、ティーズ１５と、室外に通じる排気ダクト１６とを備えている。
【００４１】
ここで、レンジフード１１は、レンジファン１２でレンジ４０からの排気を集めて、ダクト本体１４内に導くものである。ダクト本体１４に導かれた排気はレンジファン側電動ダンパ１３を介してティーズ１５の下側に入り、このティーズ１５の一端側（室壁貫通側）から排気ダクト１６に排出されるようになっている。
【００４２】
ダイニングフード２１の排気ダクト２０ａは、ダクト本体２２と、防火ダンパ２３と、フィルターボックス２４と、天井３１への取り付け部２５と、中空箱状のダイニングユニット２６ａと、排気ダクト２７，２７ａと、排気ファン２８と、煙逆流防止用の排気ファン側電動ダンパ２９とを備えている。なお、本実施形態２の室内３０は、上記実施形態１のそれに比べて、天井３１裏が特に狭隘であり、そこを高温の排気が通過する際の過熱防止のため、少なくとも排気ダクト２７ａは、適宜厚のロックウール等の断熱材で被覆していることが好ましい。
【００４３】
ここで、ダイニングフード２１は、仮置きの調理器（図示せず。）からの排気を集めて、排気ダクト２７内に導くものである。排気ダクト２７に導かれた排気は、上流側のダイニングユニット２６ａで二系統の排気ダクト２７ａに分割されて、天井３１裏を横向きに走る排気ダクト２７ａを通過した後に、下流側のダイニングユニット２６ａで再び合流した上で、排気ファン２８でティーズ１５の他端側（室壁貫通側の反対側）に排出されるようになっている。
【００４４】
排気ダクト２７は、ダイニングフード２１を着脱自在に取り付けるようになっている。すなわち、ダイニングフード２１の天井取り付け部２５として、排気ダクト２７の下部には、天井３１を貫通する貫通リング２５１と、脱着ソケット２５２とを備えており、この脱着ソケット２５２には逆Ｌ字状の切れ目２５３が形成されている。ダイニングフード２１の天井取り付け部２５に対峙する部位には、後述するエンドキャップ５０と同様であるが、いずれも図示しない水平ピンと水平ネジとを備えている。
【００４５】
そして、ダイニングフード２１を持ち上げることで脱着ソケット２５２にはめ込み、さらに回転することで前記水平ピンが切れ目２５３に沿って所定位置に案内される。その所定位置で前記水平ネジを締め付けることで、ダイニングフード２１が排気ダクト２７に固定されるようになっている。ダイニングフード２１を排気ダクト２７から取り外すときはこの逆順となる。
【００４６】
エンドキャップ５０は、ダイニングフード２１の未使用時に装着される化粧カバーであって、上方が開放された円筒状をなしている。エンドキャップ５０には水平ピン５０１が三方に突出されており、これをＰ方向に持ち上げて脱着ソケット２５２の逆Ｌ字状の切れ目２５３にはめ込み、さらにＲ方向に回転することで水平ピン５０１が切れ目２５３に沿って所定位置に案内される。その所定位置で水平ネジ５０２を締め付けることで、エンドキャップ５０が排気ダクト２７に固定されるようになっている。エンドキャップ５０を排気ダクト２７から取り外すときはこの逆順となる
【００４７】
本実施形態２の排気ダクト装置１ａの制御系は、上記実施形態１の排気ダクト装置１の制御系と同様であるので、その説明を省略する。
【００４８】
以上説明したように、本実施形態２の排気ダクト装置１ａによれば、上記実施形態１の排気ダクト装置１での作用効果に加え、その排気ダクト２０ａを、室内３０の天井３１裏で、二系統に分岐させて横並びで導くので、天井３１裏の高さがとりにくい場合などにも対応可能となるといったメリットがある。
【００４９】
なお、上記実施形態２では、既設の排気ダクト１０に排気ダクト２０を後付できるように、両フード１１，２１の択一的な使用を前提としているが、新設の排気ダクト１０とする場合は、両方同時使用としてもよい。その場合には、外部への排気ダクト１６を増径し、それに対応可能なユニット（ダイニングユニット２６と同様、中空箱状のものでよい。）を、ティーズ１５に代えて設けるとともに、前記両方同時使用に対応可能な制御系に代えることで足りる。
【００５０】
また、上記実施形態２では、ダイニングフード２１に繋がる排気ダクト２７が、ダイニングユニット２６ａで二系統に分割されて横並びに導かれているが、排ガス通過時の損失抵抗が過大にならなければ、それ以上の系統に分割されることとしてもよい。また、排気ダクト２７ａを導く天井３１裏の形状によっては、縦並びに導いてもよい。さらに、排ガスダクト２７，２７ａの形状を若干変形してもよい。
【００５１】
また、上記実施形態１，２では、排気ダクト１６の外部開放部分については、特に言及していないが、集合住宅における集合ダクトに排気ダクト１６を接続してもよい。その場合、レンジファン１２などを、集合ダクトに設けた排気ファンやダンパと連携動作させることが好ましい。
【００５２】
また、上記実施形態１，２では、制御系の中心となるコントローラ６０は、例えばマイコンチップに実行形式のプログラムを組み込んだソフトウエアで構成してもよいし、例えば無接点リレー等のハードウエアで構成してもよい。
【符号の説明】
【００５３】
１  排気ダクト装置（調理用フードの排気ダクト装置に相当する。）
１０  排気ダクト（第一排気ダクトに相当する。）
１１  レンジフード（第一調理器用フードに相当する。）
１２  レンジファン
１３  レンジファン側電動ダンパ
１４  ダクト本体
１５  ティーズ
１６  排気ダクト
２０，２０ａ  排気ダクト（第二排気ダクトに相当する。）
２１  ダイニングフード（第二調理器用フードに相当する。）
２２  ダクト本体
２３  防火ダンパ
２４  フィルターボックス
２５  天井取り付け部
２６，２６ａ  ダイニングユニット
２７，２７ａ  排気ダクト
２８  排気ファン
２９  排気ファン側電動ダンパ
３０  室内
３１  天井
４０  レンジ
５０  エンドキャップ
【先行技術文献】
【特許文献】
【００５４】
【特許文献１】特開平８−３２７１１１号公報
【特許文献２】実用新案登録第３１４４９４２号公報
【図１】
2016125794.tif 000003
【図２】
2016125794.tif 000004
【図３】
2016125794.tif 000005
【図４】
2016125794.tif 000006
【図５】
2016125794.tif 000007
【図６】
2016125794.tif 000008
【図７】
2016125794.tif 000009
【図８】
2016125794.tif 000010
【図９】
2016125794.tif 000011
【図１０】
2016125794.tif 000012